(57)【要約】  【課題】  再生可能なメディアを表示でき、装填する光ディスクが再生可能であるかを直ぐに確認できる機能を有する光ディスク再生装置を提供する。  【解決手段】  装置が動作停止中にメディア表示キー２６ａが押下されると、第１のメディア表示処理手段２２１によりフラッシュＲＯＭ２３から再生可能メディア情報が読み出され、ディスプレイ装置２０に表示される。メディア表示キー２６ａを押下していなく、光ディスク１を装填した場合には、メディア判定手段２２２により光ディスク１からディスク種類情報が読み出され、該ディスク種類情報が前記再生可能メディア情報に含まれていないと判定された場合は、装填された光ディスク１は再生不可能であることが再生可能／不可能表示処理手段２２３によりディスプレイ装置２０に表示される。そして、第２のメディア表示処理手段２２４により再生可能なメディアもディスプレイ装置２０に表示される。【選択図】      図１
2006024315.tif 000002
【特許請求の範囲】
【請求項１】
光ディスクに記録された情報を再生する光ディスク再生装置において、再生可能なメデ
ィアを表示させるために操作されるメディア表示キーを設け、再生可能メディア情報をメ
モリに予め記憶させておき、前記メディア表示キーの押下により前記メモリから再生可能
メディア情報を読み出してディスプレイ装置に表示させる第１のメディア表示処理手段と
、前記メディア表示キーを押下していなく光ディスクを装填した場合に光ディスクからデ
ィスク種類情報を読み出し該ディスク種類情報が前記メモリに記憶されている再生可能メ
ディア情報に含まれているか否かを判定するメディア判定手段と、前記ディスク種類情報
が前記再生可能メディア情報に含まれていると判定された場合は装填された光ディスクは
再生可能であることを前記ディスプレイ装置に表示させると共に前記ディスク種類情報が
前記再生可能メディア情報に含まれていないと判定された場合は装填された光ディスクは
再生不可能であることを前記ディスプレイ装置に表示させる再生可能／不可能表示処理手
段と、装填された光ディスクは再生不可能であることを前記再生可能／不可能表示処理手
段により前記ディスプレイ装置に表示されたとき前記メモリから再生可能メディア情報を
読み出して再生可能なメディアも前記ディスプレイ装置に表示させる第２のメディア表示
処理手段とを有するシステムコントローラを備えたことを特徴とする光ディスク再生装置
。
【請求項２】
光ディスクに記録された情報を再生する光ディスク再生装置において、再生可能なメデ
ィアを表示させるために操作されるメディア表示キーを設け、再生可能メディア情報をメ
モリに予め記憶させておき、前記メディア表示キーの押下により前記メモリから再生可能
メディア情報を読み出してディスプレイ装置に表示させる第１のメディア表示処理手段を
有するシステムコントローラを備えたことを特徴とする光ディスク再生装置。
【請求項３】
前記システムコントローラは、前記メディア表示キーを押下していなく光ディスクを装
填した場合に光ディスクからディスク種類情報を読み出し該ディスク種類情報が前記メモ
リに記憶されている再生可能メディア情報に含まれているか否かを判定するメディア判定
手段と、前記ディスク種類情報が前記再生可能メディア情報に含まれていると判定された
場合は装填された光ディスクは再生可能であることを前記ディスプレイ装置に表示させる
と共に前記ディスク種類情報が前記再生可能メディア情報に含まれていないと判定された
場合は装填された光ディスクは再生不可能であることを前記ディスプレイ装置に表示させ
る再生可能／不可能表示処理手段と、装填された光ディスクは再生不可能であることを前
記再生可能／不可能表示処理手段により前記ディスプレイ装置に表示されたとき前記メモ
リから再生可能メディア情報を読み出して再生可能なメディアも前記ディスプレイ装置に
表示させる第２のメディア表示処理手段とを有することを特徴とする請求項２に記載の光
ディスク再生装置。
【発明の詳細な説明】
【技術分野】
【０００１】
本発明は、光ディスクに記録された情報を再生する光ディスク再生装置に関し、特に、
再生可能なメディアを表示できる機能を有する光ディスク再生装置に関する。
【背景技術】
【０００２】
近年、光ディスクに代表される大容量メディアの多様化に伴い、ＤＶＤ（デジタル・バ
ーサタイル・ディスク）−ＶＩＤＥＯ（ビデオ）、ＣＤ−ＤＡ（コンパクト・ディスク−
デジタル・オーディオ）、Picture ＣＤ（ピクチャー・コンパクト・ディスク）などが普
及してきており、これら複数種類の光ディスクを再生できる機能を有する光ディスク再生
装置も普及してきている。
【０００３】
このような光ディスク再生装置を使用する場合、ユーザは取扱説明書を読んで再生可能
なメディアを確認し、再生しようとする光ディスクが前記確認した再生可能メディアに入
っていれば、その光ディスクを光ディスク再生装置に装填し、再生を行っている。
【０００４】
また、取扱説明書の内容を光ディスク再生装置のメモリに記憶させておき、ユーザが光
ディスク再生装置を使用するときに、メモリに記憶されている取扱説明書の内容を読出し
、ディスプレイ装置に表示するようにした光ディスク再生装置も知られている。
【特許文献１】特開２００２−３３４５６９号公報
【特許文献２】特開２００３−１７３６６８号公報
【特許文献３】特開平４−２２９４７９号公報
【特許文献４】特開平５−１２８８２７号公報
【特許文献５】実開平２−１０１３９７号公報
【発明の開示】
【発明が解決しようとする課題】
【０００５】
しかしながら、取扱説明書を読んで再生可能なメディアを確認するようにしている従来
の光ディスク再生装置においては、ユーザが取扱説明書の保管場所を忘れた場合や、他の
ものが取扱説明書を保管していて、ユーザが取扱説明書を見ることができない場合などに
、この光ディスク再生装置は、どのメディアが再生可能であるかを確認することができな
くなるという課題が生じる。
【０００６】
一方、取扱説明書の内容をディスプレイ装置に表示させることが可能になっている光デ
ィスク再生装置においては、取扱説明書の内容を記憶するメモリの容量が大きくなり、コ
ストアップにも繋がることにもなるという課題が生じる。
【０００７】
なお、特許文献１の従来技術は、装填されたディスクの種類を表示するようにしている
が、再生可能なメディア（光ディスク）を表示するものではない。特許文献２の従来技術
は、複数枚のディスクを回転テーブルに載置可能なディスク再生装置であり、本件で言う
光ディスク再生装置とは異なるタイプのものである。特許文献３の従来技術は、再生する
光ディスクの種類を表示するようにしているが、再生可能なメディア（光ディスク）を表
示するものではない。特許文献４の従来技術は、ディスクプレーヤー内のカートリッジの
レーベル面を窓部を介して目視できるようにして、ディスクの種類を確認できるようにし
ているが、再生可能なメディア（光ディスク）を表示するものではない。特許文献５の従
来技術は、異径の複数ディスクを再生するディスクプレーヤにおいて、ディスクの種類に
応じて表示部の発光色を変化させるように構成しているが、再生可能なメディア（光ディ
スク）を表示するものではない。
【０００８】
本発明は、上記のような課題を解決するためになされたもので、再生可能なメディアを
表示できるようにすることにより、装填する光ディスクが再生可能であるかを直ぐに確認
することができる機能を有する光ディスク再生装置を提供することを目的とする。
【課題を解決するための手段】
【０００９】
上記目的を達成するために、請求項１の発明は、光ディスクに記録された情報を再生す
る光ディスク再生装置において、再生可能なメディアを表示させるために操作されるメデ
ィア表示キーを設け、再生可能メディア情報をメモリに予め記憶させておき、前記メディ
ア表示キーの押下により前記メモリから再生可能メディア情報を読み出してディスプレイ
装置に表示させる第１のメディア表示処理手段と、前記メディア表示キーを押下していな
く光ディスクを装填した場合に光ディスクからディスク種類情報を読み出し該ディスク種
類情報が前記メモリに記憶されている再生可能メディア情報に含まれているか否かを判定
するメディア判定手段と、前記ディスク種類情報が前記再生可能メディア情報に含まれて
いると判定された場合は装填された光ディスクは再生可能であることを前記ディスプレイ
装置に表示させると共に前記ディスク種類情報が前記再生可能メディア情報に含まれてい
ないと判定された場合は装填された光ディスクは再生不可能であることを前記ディスプレ
イ装置に表示させる再生可能／不可能表示処理手段と、装填された光ディスクは再生不可
能であることを前記再生可能／不可能表示処理手段により前記ディスプレイ装置に表示さ
れたとき前記メモリから再生可能メディア情報を読み出して再生可能なメディアも前記デ
ィスプレイ装置に表示させる第２のメディア表示処理手段とを有するシステムコントロー
ラを備えたことを特徴とする光ディスク再生装置を提供する。
【００１０】
この構成において、装置が動作停止中にメディア表示キーが押下されると、第１のメデ
ィア表示処理手段により、メモリから再生可能メディア情報が読み出され、ディスプレイ
装置に表示される。前記メディア表示キーを押下していなく光ディスクを装填した場合に
は、メディア判定手段により前記光ディスクからディスク種類情報が読み出され、該ディ
スク種類情報が前記メモリに記憶されている再生可能メディア情報に含まれていると判定
された場合、再生可能／不可能表示処理手段により、前記装填された光ディスクは再生可
能であることが前記ディスプレイ装置に表示される。
【００１１】
一方、前記ディスク種類情報が前記再生可能メディア情報に含まれていないと判定され
た場合は、装填された光ディスクは再生不可能であることが前記再生可能／不可能表示処
理手段により、前記ディスプレイ装置に表示される。そして、第２のメディア表示処理手
段により、前記メモリから再生可能メディア情報が読み出され、再生可能なメディアも前
記ディスプレイ装置に表示される。
【００１２】
この構成によれば、メディア表示キーを押下すると、再生可能なメディアを表示でき、
装填する光ディスクが再生可能であるかを直ぐに確認することができる。また、装填した
光ディスクが再生不可能であった場合には、再生可能なメディアが自動的に表示されるの
で、再生可能なメディアを確認することができる。したがって、再生に使用する光ディス
ク再生装置は、どのようなメディアを再生できるかを知らないユーザにとっては、取扱説
明書を読まなくても再生可能メディアを直ぐに確認することができ、再生可能な範囲内の
多くのメディアを再生して楽しむことができる。
【００１３】
請求項２の発明は、光ディスクに記録された情報を再生する光ディスク再生装置におい
て、再生可能なメディアを表示させるために操作されるメディア表示キーを設け、再生可
能メディア情報をメモリに予め記憶させておき、前記メディア表示キーの押下により前記
メモリから再生可能メディア情報を読み出してディスプレイ装置に表示させる第１のメデ
ィア表示処理手段を有するシステムコントローラを備えたことを特徴とする光ディスク再
生装置を提供する。
【００１４】
この構成において、装置が動作停止中にメディア表示キーが押下されると、第１のメデ
ィア表示処理手段により、メモリから再生可能メディア情報が読み出され、ディスプレイ
装置に表示される。
【００１５】
この構成によれば、メディア表示キーを押下すると、再生可能なメディアを表示でき、
装填する光ディスクが再生可能であるかを直ぐに確認することができる。したがって、再
生に使用する光ディスク再生装置は、どのようなメディアを再生できるかを知らないユー
ザにとっては、取扱説明書を読まなくても再生可能メディアを直ぐに確認することができ
、再生可能な範囲内の多くのメディアを再生して楽しむことができる。
【００１６】
請求項３の発明では、前記システムコントローラは、前記メディア表示キーを押下して
いなく光ディスクを装填した場合に光ディスクからディスク種類情報を読み出し該ディス
ク種類情報が前記メモリに記憶されている再生可能メディア情報に含まれているか否かを
判定するメディア判定手段と、前記ディスク種類情報が前記再生可能メディア情報に含ま
れていると判定された場合は装填された光ディスクは再生可能であることを前記ディスプ
レイ装置に表示させると共に前記ディスク種類情報が前記再生可能メディア情報に含まれ
ていないと判定された場合は装填された光ディスクは再生不可能であることを前記ディス
プレイ装置に表示させる再生可能／不可能表示処理手段と、装填された光ディスクは再生
不可能であることを前記再生可能／不可能表示処理手段により前記ディスプレイ装置に表
示されたとき前記メモリから再生可能メディア情報を読み出して再生可能なメディアも前
記ディスプレイ装置に表示させる第２のメディア表示処理手段とを有するので、装填した
光ディスクが再生不可能であった場合には、再生可能なメディアを自動的に表示でき、再
生可能なメディアを確認することができる。
【発明の効果】
【００１７】
以上のように本発明によれば、再生可能なメディアを表示させるために操作されるメデ
ィア表示キーを設け、再生可能メディア情報をメモリに予め記憶させておき、前記メディ
ア表示キーの押下により前記メモリから再生可能メディア情報を読み出してディスプレイ
装置に表示させる第１のメディア表示処理手段と、前記メディア表示キーを押下していな
く光ディスクを装填した場合に光ディスクからディスク種類情報を読み出し該ディスク種
類情報が前記メモリに記憶されている再生可能メディア情報に含まれているか否かを判定
するメディア判定手段と、前記ディスク種類情報が前記再生可能メディア情報に含まれて
いると判定された場合は装填された光ディスクは再生可能であることを前記ディスプレイ
装置に表示させると共に前記ディスク種類情報が前記再生可能メディア情報に含まれてい
ないと判定された場合は装填された光ディスクは再生不可能であることを前記ディスプレ
イ装置に表示させる再生可能／不可能表示処理手段と、装填された光ディスクは再生不可
能であることを前記再生可能／不可能表示処理手段により前記ディスプレイ装置に表示さ
れたとき前記メモリから再生可能メディア情報を読み出して再生可能なメディアも前記デ
ィスプレイ装置に表示させる第２のメディア表示処理手段とを有するシステムコントロー
ラを備えたので、メディア表示キーを押下すると、再生可能なメディアを表示でき、装填
する光ディスクが再生可能であるかを直ぐに確認することができ、また、装填した光ディ
スクが再生不可能であった場合には、再生可能なメディアが自動的に表示され、再生可能
なメディアを確認することができる。したがって、再生に使用する光ディスク再生装置は
、どのようなメディアを再生できるかを知らないユーザにとっては、取扱説明書を読まな
くても再生可能メディアを直ぐに確認することができ、再生可能な範囲内の多くのメディ
アを再生して楽しむことができる。
【００１８】
また、本発明によれば、再生可能なメディアを表示させるために操作されるメディア表
示キーを設け、再生可能メディア情報をメモリに予め記憶させておき、前記メディア表示
キーの押下により前記メモリから再生可能メディア情報を読み出してディスプレイ装置に
表示させる第１のメディア表示処理手段を有するシステムコントローラを備えたので、メ
ディア表示キーを押下すると、再生可能なメディアを表示でき、装填する光ディスクが再
生可能であるかを直ぐに確認することができる。したがって、再生に使用する光ディスク
再生装置は、どのようなメディアを再生できるかを知らないユーザにとっては、取扱説明
書を読まなくても再生可能メディアを直ぐに確認することができ、再生可能な範囲内の多
くのメディアを再生して楽しむことができる。
【発明を実施するための最良の形態】
【００１９】
以下、添付図面を参照しつつ、本発明の実施の形態について説明する。図１は本発明の
一実施形態に係る光ディスク再生装置の構成を示すブロック図である。
【００２０】
この光ディスク再生装置は、光ディスク１を回転させるスピンドルモータ５と、光ディ
スク１に記録された情報を再生するためのレーザ光を出射すると共に光ディスク１からの
反射光を受光する光ピックアップ２と、この光ピックアップ２を光ディスク１の半径方向
に移動させるためのスレッド３と、システムコントローラ２２の指示に応じてスピンドル
モータ５およびスレッド３を駆動すると共に光ピックアップ２に内蔵された対物レンズ（
図示せず）を動かすことによりレーザ光の焦点位置を光ディスク１の記録面に対して垂直
方向および水平方向に移動させる制御を行うサーボ制御部４とを備えている。
【００２１】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２２】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２３】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２４】
また、この光ディスク再生装置は、システムコントローラ２２に対して、再生指示を与
えるための再生キー（図示せず）、再生停止を指示するための停止キー（図示せず）、そ
の他各種操作キー（図示せず）を有する操作部２１と、装置全体を制御する前記システム
コントローラ２２とを備えている。操作部２１は、リモコン（リモートコントローラ）２
６からの操作指令を示す光信号を受信する受光手段（図示せず）を備え、この受光手段に
より光信号を電気信号に変換してシステムコントローラ２２に指令信号を入力する。リモ
コン２６は、操作部２１と同様な各種操作キーを有する他、再生可能なメディアを表示さ
せるために操作されるメディア表示キー２６ａを有する。なお、メディア表示キー２６ａ
は操作部２１にも設けても良い。
【００２５】
また、この光ディスク再生装置は、装置の各構成要素を制御したり、装置全体を制御し
たりするためのプログラムやデータなどを記憶するフラッシュＲＯＭ２３と、このフラッ
シュＲＯＭ２３のプログラムやデータに従って演算処理を行いシステムコントローラ２２
を制御するＣＰＵ２４とを備えている。また、フラッシュＲＯＭ２３には、この光ディス
ク再生装置において再生することができるメディアを示す再生可能メディア情報が記憶さ
れる。
【００２６】
システムコントローラ２２は、本実施形態の特徴とする構成要素して、メディア表示キ
ー２６ａの押下によりフラッシュＲＯＭ２３から再生可能メディア情報を読み出してディ
スプレイ装置２０に表示させる第１のメディア表示処理手段２２１と、メディア表示キー
２６ａを押下していなく光ディスク１を装填した場合に光ディスク１からディスク種類情
報を読み出し該ディスク種類情報がフラッシュＲＯＭ２３に記憶されている再生可能メデ
ィア情報に含まれているか否かを判定するメディア判定手段２２２と、前記ディスク種類
情報が前記再生可能メディア情報に含まれていると判定された場合は装填された光ディス
ク１は再生可能であることをディスプレイ装置２０に表示させると共に前記ディスク種類
情報が前記再生可能メディア情報に含まれていないと判定された場合は装填された光ディ
スク１は再生不可能であることをディスプレイ装置２０に表示させる再生可能／不可能表
示処理手段２２３と、装填された光ディスク１は再生不可能であることを再生可能／不可
能表示処理手段２２３によりディスプレイ装置２０に表示されたときフラッシュＲＯＭ２
３から再生可能メディア情報を読み出して再生可能なメディアもディスプレイ装置２０に
表示させる第２のメディア表示処理手段２２４とを有する。
【００２７】
図２は本実施形態においてメディアを表示する際の処理を説明するためのフローチャー
トである。図３は本実施形態において再生可能メディアは何であるかをディスプレイ装置
に表示した一例を示す図である。図４は本実施形態において装填された光ディスクが再生
可能であることを示す内容がディスプレイ装置に表示された一例を示す図である。図５は
本実施形態において装填された光ディスクが再生不可能であることを示すと共に再生可能
メディアは何であるかをディスプレイ装置に表示した一例を示す図である。
【００２８】
次に、本実施形態において再生可能メディアを表示させる動作について図１〜図５を参
照して説明する。装置が動作停止中（再生動作停止中やシーク動作停止中など）に（ステ
ップＳ１）、リモコン２６のメディア表示キー２６ａが押下されると（ステップＳ２）、
リモコン２６から赤外線のメディア表示指令信号が送信され、操作部２１で電気信号に変
換されてシステムコントローラ２２に与えられる。
【００２９】
システムコントローラ２２では、第１のメディア表示処理手段２２１により、フラッシ
ュＲＯＭ２３から再生可能メディア情報が読み出され（ステップＳ３）、ビデオデコーダ
１５でデコードされ、更に、ビデオプロセッサ１７を介してビデオエンコーダ１８に与え
られて表示用のビデオ信号に変換され、ディスプレイ装置２０に入力されると、例えば、
図３に示すように“再生可能メディアは、「ＤＶＤ−ＶＩＤＥＯ」、「ＣＤ−ＤＡ」、「
Ｐｉｃｔｕｒｅ  ＣＤ」、「ＶＣＤ」です。”と言うメッセージがディスプレイ装置２０
に表示される。即ち、第１のメディア表示処理手段２２１は、再生可能メディアをディス
プレイ装置２０に表示させる（ステップＳ４）。
【００３０】
一方、リモコン２６のメディア表示キー２６ａを押下していなく（ステップＳ２）、光
ディスク１を装填した場合には、システムコントローラ２２は、サーボ制御部４を制御し
てスピンドルモータ５を回転させることにより光ディスク１を回転させ、光ディスク１の
ＴＯＣ（Table Of Contents）領域をアクセスするように光ピックアップ２を制御し、メ
ディア判定手段２２２により、ＴＯＣ領域からＴＯＣ情報を読み出し、更に、ＴＯＣ情報
に含まれるディスク種類情報を読み出し（ステップＳ６）、このディスク種類情報がフラ
ッシュＲＯＭ２３に記憶されている再生可能メディア情報に含まれているか否かが判定さ
れる（ステップＳ７）。
【００３１】
例えば、装填した光ディスク１がＶＣＤであれば、ＶＣＤは図３に示すように再生可能
メディアに含まれているので、メディア判定手段２２２は、このディスク種類情報がフラ
ッシュＲＯＭ２３に記憶されている再生可能メディア情報に含まれていると判定し、挿入
した光ディスク１は再生可能であることを示す、例えば、図４に示すように“このメディ
アは再生可能です。”と言うメッセージが再生可能／不可能表示処理手段２２３によりデ
ィスプレイ装置２０に表示される。即ち、システムコントローラ２２の再生可能／不可能
表示処理手段２２３により、挿入ディスクは再生可能であることをディスプレイ装置２０
に表示させる（ステップＳ８）。
【００３２】
一方、ディスク種類情報がフラッシュＲＯＭ２３に記憶されている再生可能メディア情
報に含まれていないと判定された場合（ステップＳ７）、挿入ディスクは再生不可能であ
ることを再生可能／不可能表示処理手段２２３により表示させると共に、第２のメディア
表示処理手段２２４により、再生可能なメディアを表示させる（ステップＳ９）。例えば
、図５に示すように、“このメディアは再生不可能です。再生可能メディアは「ＤＶＤ−
ＶＩＤＥＯ」、「ＣＤ−ＤＡ」、「Ｐｉｃｔｕｒｅ  ＣＤ」、「ＶＣＤ」です。”という
メッセージがディスプレイ装置２０に表示される。
【００３３】
以上説明したように本実施形態によれば、リモコン２６のメディア表示キー２６ａを押
下すると、再生可能なメディアをディスプレ装置２０に表示でき、装填する光ディスク１
が再生可能であるかを直ぐに確認することができる。また、装填した光ディスク１が再生
不可能であった場合には、再生可能なメディアが自動的にディスプレイ装置２０に表示さ
れるので、再生可能なメディアを確認することができる。したがって、再生に使用する光
ディスク再生装置は、どのようなメディアを再生できるかを知らないユーザにとっては、
取扱説明書を読まなくても再生可能メディアを直ぐに確認することができ、再生可能な範
囲内の多くのメディアを再生して楽しむことができる。
【図面の簡単な説明】
【００３４】
【図１】本発明の一実施形態に係る光ディスク再生装置の構成を示すブロック図である。
【図２】前記実施形態においてメディアを表示する際の処理を説明するためのフローチャートである。
【図３】前記実施形態において再生可能メディアは何であるかをディスプレイ装置に表示した一例を示す図である。
【図４】前記実施形態において装填された光ディスクが再生可能であることを示す内容がディスプレイ装置に表示された一例を示す図である。
【図５】前記実施形態において装填された光ディスクが再生不可能であることを示すと共に再生可能メディアは何であるかをディスプレイ装置に表示した一例を示す図である。
【符号の説明】
【００３５】
１    光ディスク
２０    ディスプレイ装置
２２    システムコントローラ
２３    フラッシュＲＯＭ（メモリ）
２６ａ    メディア表示キー
２２１    第１のメディア表示処理手段
２２２    メディア判定手段
２２３    再生可能／不可能表示処理手段
２２４    第２のメディア表示処理手段
【図１】
2006024315.tif 000003
【図２】
2006024315.tif 000004
【図３】
2006024315.tif 000005
【図４】
2006024315.tif 000006
【図５】
2006024315.tif 000007